(57)【要約】【目的】記録領域において磁性ドットが組む六方格子の配向方向を規則化させて、１ビットに含まれる磁性ドット数の揺らぎを抑えることができ、高密度記録が可能な記録再生装置を提供する。【構成】トラック方向に沿って記録再生が行われる記録媒体と、情報の記録再生を行うヘッドとを有し、記録媒体の表面にはトラックに交差する複数の制御領域と情報の記録再生がなされる記録領域とが形成され、記録領域は互いに分離して形成された磁性ドットが六方格子を組んで配列した磁性ドット集合体を含み、磁性ドット集合体の制御領域に最近接の部分では六方格子の主軸が制御領域の境界線に沿って配向しており、ヘッドは細長形状をなし、記録媒体のどのトラックにおいても磁性ドットが組んでいる六方格子の主軸がヘッドの長手方向に向いている記録再生装置。【選択図】    図６
2004342226.tif 000002
【特許請求の範囲】
【請求項１】
トラック方向に沿って記録再生が行われる記録媒体と、記録媒体上でトラック方向に相対的に掃引され情報の記録再生を行う記録ヘッドおよび再生ヘッドとを有し、前記記録媒体の表面にはトラックに交差する複数の制御領域と情報の記録再生がなされる記録領域とが形成され、前記記録領域は互いに分離して形成された磁性ドットが六方格子を組んで配列した磁性ドット集合体を含み、前記磁性ドット集合体の前記制御領域に最近接の部分では六方格子の主軸が前記制御領域の境界線に沿って配向しており、前記記録ヘッドおよび再生ヘッドは細長形状をなし、前記記録媒体のどのトラックにおいても前記磁性ドットが組んでいる六方格子の主軸が前記記録ヘッドおよび再生ヘッドの長手方向に向いていることを特徴とする記録再生装置。
【請求項２】
前記制御領域はサーボ情報を含むことを特徴とする請求項１に記載の記録再生装置。
【請求項３】
前記記録ヘッドおよび再生ヘッドは長方形状をなすことを特徴とする請求項１または２に記載の記録再生装置。
【請求項４】
前記記録媒体がディスク状をなし、前記記録ヘッドおよび再生ヘッドが前記記録媒体上に配置され、前記記録媒体の半径方向の位置に応じて制御領域の空間密度が調整されていることを特徴とする請求項１乃至３のいずれかに記載の記録再生装置。
【請求項５】
前記記録媒体がディスク状をなし、前記記録ヘッドおよび再生ヘッドが前記記録媒体の外側に設けられた軸を中心として回転するアームに取り付けられて該アームの回転によって前記記録媒体上の目標トラックに移動して記録再生を行うようになっており、前記制御領域の境界線は前記アームの回転に伴う前記記録ヘッドおよび再生ヘッドの軌跡に沿うように形成されていることを特徴とする請求項１乃至４のいずれかに記載の記録再生装置。
【発明の詳細な説明】
【０００１】
【発明の属する技術分野】
本発明は、高密度記録が可能な記録再生装置に関する。
【０００２】
【従来の技術】
パソコンなど情報機器の飛躍的な機能向上により、ユーザーの扱う情報は著しく増大してきている。このような状況の下で、これまでより飛躍的に記録密度の高い情報記録再生装置に対する期待は高まるばかりである。記録密度を向上させるためには、記録媒体中における記録の書き込み単位である１つの記録セルまたは記録マークの大きさを微小化することが必要である。しかし、従来の記録媒体において記録セルまたは記録マークの微小化は大きな困難に直面している。
【０００３】
例えば、ハードディスクなどの磁気記録媒体では、記録層に粒度分布の広い構造を用いている。しかし、磁性体の熱揺らぎのために、小さい磁性粒では記録が不安定となる。このため、記録セルが大きい場合は問題ないが、記録セルが小さいと記録の不安定性やノイズの増大が生じる。これは、記録セルに含まれる結晶粒の数が少なくなることと、記録セル間の相互作用が相対的に大きくなることが要因になっている。
【０００４】
これらの問題を回避するため、磁気記録の分野においては、記録領域に磁性体の微粒子（磁性ドット）を充填し、これに磁気情報を書き込む方法が検討されている（たとえば特許文献１参照）。記録領域に磁性ドットを充填すると、磁性ドットは等方的であるため、磁性ドット同士が六方格子を組んで配列する。しかし、六方格子の主軸はランダムであり、記録領域全体ではランダムな方向を向いた六方格子群の集合である多結晶構造となる。このような多結晶構造では記録密度を上げて行く際に磁性ドットの位置が予測不可能になるので好ましくない。つまり、六方格子の配向がランダムだと、１ビットに含まれる磁性ドット数の揺らぎが大きくなり、これが高密度化を妨げる問題となる。
【０００５】
【特許文献１】
特開２０００−１９５０３６
【０００６】
【発明が解決しようとする課題】
本発明の目的は、記録領域において磁性ドットが組む六方格子の配向方向を規則化させて、１ビットに含まれる磁性ドット数の揺らぎを抑えることができ、高密度記録が可能な記録再生装置を提供することにある。
【０００７】
【課題を解決するための手段】
本発明の一態様に係る記録再生装置は、トラック方向に沿って記録再生が行われる記録媒体と、記録媒体上でトラック方向に相対的に掃引され情報の記録再生を行う記録ヘッドおよび再生ヘッドとを有し、前記記録媒体の表面にはトラックに交差する複数の制御領域と情報の記録再生がなされる記録領域とが形成され、前記記録領域は互いに分離して形成された磁性ドットが六方格子を組んで配列した磁性ドット集合体を含み、前記磁性ドット集合体の前記制御領域に最近接の部分では六方格子の主軸が前記制御領域の境界線に沿って配向しており、前記記録ヘッドおよび再生ヘッドは細長形状をなし、前記記録媒体のどのトラックにおいても前記磁性ドットが組んでいる六方格子の主軸が前記記録ヘッドおよび再生ヘッドの長手方向に向いていることを特徴とする。
【０００８】
【発明の実施の形態】
本発明の実施形態に係る記録再生装置は、トラック方向に沿って記録再生が行われる記録媒体と、記録媒体上でトラック方向に相対的に掃引され情報の記録再生を行う記録ヘッドおよび再生ヘッドとを有する。
【０００９】
本発明の実施形態において、記録媒体の表面には、トラックに交差する複数の制御領域と情報の記録再生がなされる記録領域とが形成されている。制御領域は、その境界線がトラックを横切る方向に延びている帯状の領域である。記録再生装置の駆動時には、記録再生ヘッドが帯状の制御領域を横切る。この制御領域はサーボ情報を含むことが好ましい。再生ヘッドは、制御領域を横切ったときにサーボ情報としてヘッドが位置している現在のトラック位置情報（アドレス情報）や目標とするトラックへ正しくヘッドを移動させるための位置決め情報（トラック位置決め情報）を読み取り、それに基づいて記録再生動作がなされる。サーボ情報は、具体的にはサーボマーク情報、アドレス情報、バースト情報、記録再生タイミング情報などを含むが、これらに限定されない。
【００１０】
本発明の実施形態において、記録領域は互いに分離して形成された磁性ドットが六方格子を組んで配列した磁性ドット集合体を含み、前記磁性ドット集合体の前記制御領域に最近接した部分では六方格子の主軸が前記制御領域の境界線に沿って配向している。六方格子の主軸とは、格子点（磁性ドット）が最も高い線密度で並んでいる軸のことをいう。
【００１１】
ここで、トラックに交差する制御領域だけでなく、トラックに平行な制御領域を設けた構造を想定すると、磁性ドットはトラックに交差する制御領域の境界線だけでなくトラックに平行な制御領域の境界線に沿っても配列しようとするので、トラックに交差する制御領域の境界線に沿って六方格子の主軸が配向した状態を形成することが困難になる。したがって、本発明の実施形態においては、トラックに平行な制御領域を設けない。
【００１２】
また、磁性ドット集合体の制御領域に最近接の部分で六方格子の主軸が制御領域の境界線に沿って配向していれば、多少の配列の乱れは生じるかも知れないが、磁性ドット集合体の制御領域から離れた部分でも六方格子の主軸はおおむね制御領域の境界線に沿って配向する。つまり、本発明の実施形態に係る記録媒体では、記録領域のほぼ全域において六方格子の主軸が制御領域の境界線にほぼ平行になる。ただし、記録領域中の磁性ドット集合体が多少の格子欠陥を含んでいても、六方格子の全体的な配向にはほとんど影響がないので多少の格子欠陥は許容される。
【００１３】
本発明の実施形態において、記録ヘッドおよび再生ヘッドは細長形状をなしており、ヘッドの長軸／短軸のアスペクト比は２以上、好ましくは５〜７程度である。ここで細長形状とは、４つの角が９０°である長方形のほか、短軸に対する長軸の比が２倍以上であれば、数学的には台形でも平行四辺形でもただの四辺形でも構わない。そして記録媒体のどのトラックにおいても磁性ドットが組んでいる六方格子の主軸が記録ヘッドおよび再生ヘッドの長手（長軸）方向に向いている。このように磁性ドットが組んでいる六方格子の主軸方向（磁性ドットの線密度が高い方向）が、記録再生ヘッドの長手方向を向いているので、１ビットに含まれる磁性ドット数を多くすることができる。また、トラック方向における１ビットの長さ、すなわちビット長が短い場合でも、１ビット中の磁性ドット数を多くすることができる。
【００１４】
以下、図面を参照しながら本発明をさらに詳細に説明する。
図１は本発明の一実施形態に係る記録媒体の一部を概略的に示す平面図である。この記録媒体１０では図の左右方向がトラック方向である。トラック方向を交差する方向に複数の制御領域１１が設けられている。制御領域１１はトラック方向を横切る方向に延びた帯状の領域である。制御領域１１中にはサーボ信号が埋め込まれている。制御領域１１に挟まれた領域が記録領域１２として用いられる。記録領域１２は互いに分離して形成された磁性ドット１３が六方格子を組んで配列した磁性ドット集合体を含み、磁性ドット集合体の制御領域１１に最近接の部分では六方格子の主軸が制御領域１１の境界線に沿って配向している。六方格子とは、あるドットに最近接のドットが６個あり、これらが正六角形に近い構造を取って配列した格子のことを指す。六方格子は等方的な形状の磁性ドット１３を最も高密度に並べられる配列であるため、記録媒体１０上で磁性ドット１３が六方格子を組んでいる場合には、他の配列に比べて最も高記録密度の記録媒体が得られる。また、記録媒体１０を作製する際に、自己組織材料の自己組織化を利用する場合、自己組織ドットが自然に六方格子を組みやすい。同様に、記録媒体１０を作製する際に、等方的な磁性ドット１３を平面上に分散させて並べる場合にも、磁性ドットが自然に六方格子を組みやすい。このため、低コストで記録媒体１０を製造できる。
【００１５】
制御領域１１の境界線とは、制御領域１１が記録領域１２と接する境界を示している。制御領域１１がトラックを横切る帯状であるため、制御領域１１と記録領域１２との境界はトラックを横切る線状となる。制御領域１１の境界線は直線でも曲線でもよく、曲線である場合には後述するように記録再生ヘッドの移動の軌跡に沿った形状であることが望ましい。すなわち、ＣＤやＤＶＤのように記録再生ヘッドが直線状に移動する場合には、制御領域１１の境界線は図２に示すような直線状であることが好ましい。また、ＨＤＤのように記録再生ヘッドがある軸を中心に回転するアーム上に固定されている場合には、制御領域１１の境界線は図５に示すような円弧をなす曲線状であることが好ましい。
【００１６】
本発明の実施形態では、記録領域１２において磁性ドット１３が六方格子を組んで配列した磁性ドット集合体のうち制御領域１１に最近接の部分で、六方格子の主軸が制御領域１１の境界線に沿って配向している。六方格子の主軸とは磁性ドット１３が最も高い密度で並んでいる軸方向であり、六方格子ではあるドットに最近接の６個のドットが形成する六角形の各辺の方向が主軸に相当する。六方格子の主軸は３方向に延びている。六方格子の主軸が制御領域１１の境界線に沿って配向するということは、上記の３方向のうちの１つが境界線に平行であることを示す。また、制御領域１１の境界線が曲線状である場合には、ある境界線上の１点の近傍にある記録ドットが組む六方格子の主軸が、その境界線上の１点の接線方向に沿っていることを示す。
【００１７】
上述したように六方格子とはあるドットに最近接のドットが６個あり、これらが正六角形に近い構造を取っている格子を指すが、多数のドットを含むドット集合体が全て無欠陥の六方格子を組んでいる必要はなく、格子欠陥、配列の乱れ、格子の歪みを多少含んでいても許容される。
【００１８】
たとえば図１では、下がディスクの内周、上がディスクの外周を示しており、トラック方向は円周方向であるので、トラックを横切る制御領域１１はディスクの内側から外側へ延びる半径に沿った領域となる。このとき、制御領域１１も、制御領域１１間の記録領域１２も、図の下（ディスク内周）から上（ディスク外周）へ向かって広がった形状となる。このような記録領域１２内で、磁性ドット１３が六方格子を組む際に、六方格子の主軸が記録領域１２の両端で制御領域１１の境界線に沿って配向すると、記録領域１２の上下の幅が異なることから六方格子は歪んだり欠陥を伴ったりする。図１では六方格子は上から下に向けて少しずつ縮まるように格子が歪んでいる。上述したようにこの程度の格子の歪みや格子欠陥は許容される。
【００１９】
図２はディスク状をなす記録媒体の全体を概略的に示す平面図である。この記録媒体１０では、制御領域１１はディスクの中心から外側へ直線状に延びる複数の帯状の領域として形成され、記録領域１２は制御領域１１に挟まれたほぼ扇型の領域として形成されている。
【００２０】
本発明の他の実施形態に係る記録再生装置では、記録媒体がディスク状をなし、記録ヘッドおよび再生ヘッドが回転する記録媒体ディスク上に配置され、記録媒体ディスクの半径方向の位置に応じて制御領域の空間密度が調整されていてもよい。
【００２１】
記録媒体がディスク状をなし、記録媒体ディスクが回転し、その上に記録再生ヘッドを配置して動作させる記録再生装置の場合、記録媒体のトラックはディスクの円周方向に沿って形成される。本発明の実施形態においては、制御領域は円周を横切る方向すなわちディスクの内側と外側を結ぶ半径方向に延びる帯状の領域として形成されるが、図２に示すようにディスクの内側から外側まで達する制御領域１１のみを形成した場合には、隣接する２つの制御領域１１間の距離は、ディスクの内側よりディスクの外側で長くなる。
【００２２】
そこで、図３に示すように、ディスクの内側と外側を結ぶ半径方向に延びる第１の制御領域１１ａに加えて、隣り合う第１の制御領域１１ａの中間に記録領域１２中のある半径位置から外側へ延びる第２の制御領域１１ｂを設けようにしてもよい。すなわち、記録媒体ディスクの半径方向の位置に応じて制御領域の空間密度が調整されており、ヘッドが第１の制御領域１１ａのみを横切る場合と、ヘッドが第１の制御領域１１ａおよび第２の制御領域１１ｂを横切る場合とがある。このようにすれば、ディスク内側でもディスク外側でも、制御領域間の距離を一定範囲内に保つことができる。なお、記録媒体ディスクの半径方向の位置に応じた制御領域の空間密度は、図３よりもさらに細かく調整してもよい。
【００２３】
この場合、ある半径位置から外側に延びるように設けられた第２の制御領域１１ｂにサーボ情報を含ませれば、制御領域１１ａのみからサーボ情報を読み取る場合（たとえば図２の場合）と比較して、再生ヘッドはディスク外周側において高い頻度でサーボ情報を読み取るようになる。
【００２４】
ただし、記録媒体ディスクの全トラックを横断する第１の制御領域１１ａ中にサーボ情報を含ませた場合、記録再生ヘッドはどのトラック上でも必ず第１の制御領域１１ａを横断するため、サーボ情報による位置決めが可能となる。しかし、全トラックを横断する第２の制御領域１１ａとは異なり、半径位置の途中から外側に設けられた第２の制御領域１１ｂは全トラックを横断していないので、ヘッドが配置されている半径位置によっては第２の制御領域１１ｂを横断する場合と横断しない場合がある。したがって、第２の制御領域１１ｂにサーボ情報を含ませた場合には、そのサーボ情報では一部分のトラックの位置決めしかできなくなる。そこで、記録媒体ディスクの半径位置の途中から外側に設けられた第２の制御領域１１ｂには、サーボ情報を含ませなくてもよいし、サーボ情報の一部すなわちサーボマーク情報、アドレス情報、バースト情報、記録再生タイミング情報などの一部だけを含ませてもよい。
【００２５】
また、記録媒体ディスクを製造する際に、ディスク外周において記録領域１２の幅が自己組織ドットの配列した単結晶ドメインサイズよりも広くなると、六方格子の主軸が制御領域１１の境界線に沿って配向しなくなることがあるので好ましくない。この問題を避けるために、図２において制御領域１１の数を増やすと、記録領域１２として用いることができない制御領域１１が占める面積が増加し、記録媒体の記録容量が減るため好ましくない。図３に示す第２の制御領域１１ｂは、ディスク内周において第１の制御領域１１ａ間の間隔が狭い場合には必要ないが、ある半径位置より外側において第１の制御領域１１ａ間の間隔が広くなる領域で設ければよい。このように、ある半径位置より外側で第２の制御領域１１ｂを設ければよいので、記録媒体の記録容量を不必要に低下させることなく、記録領域１２中で磁性ドットが組む六方格子の主軸が揃った記録媒体を提供することができる。
【００２６】
本発明の他の実施形態に係る記録再生装置では、記録媒体がディスク状をなし、記録ヘッドおよび再生ヘッドが記録媒体ディスクの外側に設けられた軸を中心として回転するアームに取り付けられてアームの回転によって記録媒体ディスク上の目標トラックに移動して記録再生を行うようになっており、制御領域の境界線はアームの回転に伴う記録ヘッドおよび再生ヘッドの軌跡に沿うように形成されていてもよい。
【００２７】
図４は本発明の他の実施形態に係る記録再生装置を概略的に示す平面図である。この図は一般的なハードディスクドライブの一部を示している。図４に示すように、軸１００にアーム１１０が支持され、アーム１１０の先端に記録再生ヘッド１２０が取り付けられている。アーム１１０は、図示しないボイスコイルモーターにより記録媒体１０上を回転する。このとき、記録媒体１０上をヘッド１２０が移動する軌跡は、図４のように軸１００を中心とする円弧となる。ここで、ヘッドの軌跡とは、記録ヘッドの軌跡でもよいし再生ヘッドの軌跡でもよいし、記録ヘッドと再生ヘッドの中間地点の軌跡でもよい。
【００２８】
図５は制御領域の境界線がアームの回転に伴うヘッドの軌跡に沿うように形成されている記録媒体の平面図である。この記録媒体１０では、制御領域１１はディスクの中心から外側へ円弧状に延びる複数の帯状の領域として形成され、記録領域１２は制御領域１１に挟まれた領域として形成されている。
【００２９】
図６は図４および図５におけるヘッドと磁性ドットとの関係を示す平面図である。図６に示すようにヘッド１２０（記録ヘッドまたは再生ヘッド）は、長方形状をなしている。一方、記録領域１２中では磁性ドット１３が六方格子を組んで配列している。このとき、広い範囲で観察すると六方格子の主軸が曲線状に歪んで見えるが、制御領域１１に最近接の部分では磁性ドット１３が組む六方格子の主軸が円弧状をなす制御領域１１の境界線に沿って配向している。
【００３０】
図６には、記録媒体１０の外周側Ｐ１と内周側Ｐ２の２個所でのヘッド１２０と磁性ドット１３との関係を示している。Ｐ１位置とＰ２位置とでは、アームの回転角に起因してヘッド１２０の方向が少し異なっている。しかし、制御領域１１がヘッド１２０の軌跡に沿った形状に形成されているため、ヘッド１２０がどの位置にあっても、ヘッド１２０の長軸と制御領域１１の境界線がほぼ平行であり、ヘッド１２０の長軸と磁性ドット１３が組む六方格子の主軸もほぼ平行になる。
【００３１】
本発明の実施形態に係る記録媒体を製造するには、たとえば基板上に複数の制御領域を設け、制御領域の境界線に沿って自己組織材料の自己組織ドットを配列させる工程を含む方法を用いることができる。自己組織材料とは、相分離などによって材料内部に規則正しい周期構造を形成できる材料であり、たとえばジブロックコポリマーが挙げられるがこれに限定されない。また、基板上に複数の制御領域を設け、磁性粒子を分散させて制御領域の境界線に沿って磁性ドットを配列させる工程を含む方法を用いることもできる。
【００３２】
まず、記録媒体の平面に、その境界線が線状の壁をなすように制御領域を形成した後、自己組織ドットや磁性ドットを配列させて記録領域のドット構造を形成する。自己組織ドットや磁性ドットは１ドットが等方的な形状を有し、これらが密に配列しようとすると自然と六方格子を組む。このとき、自己組織ドットや磁性ドットは、線状の壁があるとその壁に沿って六方格子の主軸をそろえて並ぶ性質がある。
【００３３】
記録媒体の平面上で自己組織ドットや磁性ドットが六方格子を組む際に壁などの障壁がない場合には、複数のドットを含む有限サイズの六方格子集合体の並んだ構造が形成され、それぞれの六方格子集合体の主軸方向がランダムに向いた多結晶構造となる。ひとつの六方格子集合体の占める領域が単結晶領域である。この場合、隣接する制御領域間の距離が単結晶領域のサイズより長くなると、記録領域中で制御領域の境界線とは全く異なる方向に主軸の方向を持った六方格子ドメインが存在するようになる。このため、記録領域において六方格子の主軸方向を揃えるためには、自己組織ドットまたは磁性ドットが形成する六方格子の単結晶ドメインのサイズよりも制御領域間の距離が短くなるように制御領域を設けることが好ましい。
【００３４】
なお、上記のような方法を用いてインプリント原盤を作製し、記録媒体上にインプリント原盤のパターンを転写するようにしてもよい。具体的な製造方法については、下記の実施例において詳述する。
【００３５】
【実施例】
以下、図面を参照して本発明の実施例を説明する。
図７は本実施例において作製した記録媒体の概略的な平面図である。この記録媒体１０では、３種の制御領域を設けてディスク表面の半径位置に応じて制御領域の空間密度を調整している。すなわち、ディスク最内周から外側へ全トラックを横切って延びる円弧状の第１の制御領域１１ａと、ディスク最内周より半径の約１／３離れた半径位置から外側へ延びる円弧状の第２の制御領域１１ｂと、ディスク最内周より半径の約２／３離れた半径位置から外側へ延びる円弧状の第３の制御領域１１ｃとを設けている。円周方向においては、第２の制御領域１１ｂは隣り合う第１の制御領域１１ａの中間に設け、第３の制御領域１１ｃは第１の制御領域１１ａと第２の制御領域１１ｂとの中間に設けている。これらの制御領域間の領域が記録領域１２として用いられる。駆動時においてヘッドは、記録媒体ディスクの内周側では第１の制御領域１１ａのみを横切り、記録媒体ディスクの径方向の中央部では第１の制御領域１１ａおよび第２の制御領域１１ｂを横切り、記録媒体ディスクの外周側では第１の制御領域１１ａ、第２の制御領域１１ｂおよび第３の制御領域１１ｃを横切る。このようにして、ディスク内側でもディスク外側でも、制御領域間の距離を一定範囲内に保つようにしている。
【００３６】
なお、第１の制御領域１１ａには、サーボマーク、アドレス情報、バースト信号からなるサーボ情報が記録される。一方、第２の制御領域１１ｂおよび第３の制御領域１１ｃには、サーボマークのみが記録され、アドレス情報やバースト信号などは記録されない。
【００３７】
以下、本実施例の記録媒体の製造方法について図８Ａ〜Ｇおよび図９Ａ〜Ｄを参照して説明する。図８Ａ〜Ｇはインプリント原盤の製造方法を示す断面図である。図９Ａ〜Ｄはインプリント原盤からの転写による記録媒体の製造方法を示す断面図である。
【００３８】
直径２．５インチで、中央に内径２０ｍｍの穴の開いたドーナツ型の第１のガラス基板２０上にレジストをスピンコートにより塗布した。レジスト表面に、ヘッドの軌跡に沿うように角度幅で０．１°の太さを持つ円弧をなす帯状の制御領域２１が１°の角度間隔ごとに形成されるようにパターンを描画した後、エッチングを行った。第１のガラス基板２０表面では、レジストからなる制御領域２１が凸部、制御領域２１に挟まれた記録領域２２が凹部を形成している（図８Ａ）。
【００３９】
次に、第１のガラス基板２０表面に、自己組織材料としてポリスチレン（ＰＳ）−ポリメチルメタクリレート（ＰＭＭＡ）のジブロックコポリマーの溶液をスピンコートにより成膜した。第１のガラス基板２０を２００℃で１０時間アニールすると、ジブロックコポリマー膜の自己組織化が起こり、記録領域２２においてポリスチレンのマトリックス２３中に直径１０ｎｍのＰＭＭＡドット２４がドット間隔３０ｎｍで配列して全体で六方格子を組んだ構造が得られた。制御領域２１に最近接の部分ではＰＭＭＡドット２４が組んでいる六方格子の主軸は制御領域２１の境界線に沿って配向する（図８Ｂ）。
【００４０】
次に、酸素エッチングを行い、ＰＭＭＡドット２４の部分を選択的に除去して凹部を形成した。この凹部にスピンオングラスを充填した。第１のガラス基板２０の全面をＣＦ４で反応性イオンエッチング（ＲＩＥ）して、ポリスチレンマトリックス２３の部分及びその下のガラス基板２０の表面部分を選択的に除去した。この結果、第１のガラス基板２０の表面において制御領域２１’およびドット２４’が凸部となった構造が形成された（図８Ｃ）。
【００４１】
図８Ｃで得られた第１のガラス基板２０にＮｉめっき処理を行い、基板２０の凹凸が転写された厚さ３ｍｍのＮｉ原盤３０を作製した（図８Ｄ）。
【００４２】
第２のガラス基板４０上にレジスト４１を塗布した後、図８Ｄで得られたＮｉ原盤３０をレジスト４１に押し付けて凹凸を転写した。これによって、レジスト４１表面に、図８Ｃの制御領域２１’とドット２４’に対応する部分が凸部となった構造が形成された（図８Ｅ）。
【００４３】
次に、制御領域に相当するレジスト４１にサーボパターンを電子線描画して凹凸を形成した。ここで、図７に示す全トラックを横断して延びている第１の制御領域１１ａに対応する領域ではサーボマーク、アドレス情報、バースト信号からなるサーボ情報を描画した。一方、図７に示す第２の制御領域１１ｂおよび第３の制御領域１１ｃに対応する領域にはサーボマークのみを描画し、アドレス情報やバースト信号などを描画していない（図８Ｆ）。
【００４４】
図８Ｆのレジストパターンが形成された第２のガラス基板４０の表面にスパッタによりＮｉ膜を２０ｎｍ成膜した後、電鋳法によりＮｉを３００μｍ成膜し、得られたＮｉ板をガラス基板４０から剥離して、インプリント原盤５０を得た。このインプリント原盤５０の表面では、サーボパターンの描画された制御領域２１’とドット２４’に対応する部分が凹部となっている（図８Ｇ）。
【００４５】
図９Ａ〜Ｄを参照して、図８Ｇで得られたインプリント原盤５０を用いて記録媒体を大量生産する方法を説明する。
【００４６】
２．５インチ径のガラス基板１上にレジスト２を塗布した（図９Ａ）。このガラス基板１上のレジスト２に対し、図８Ｇで作製したインプリント原盤５０を押し当てて凹凸を転写した。このレジスト２の表面では、サーボパターンの描画された制御領域とドットに対応する部分が凸部となっている（図９Ｂ）。
【００４７】
レジスト２の表面をＵＶ照射により硬化した後、ＣｏＣｒＰｔをスパッタリングして磁性膜３を形成した。この段階で、ガラス基板１の表面は磁性膜３で形成されたサーボパターンの描画された制御領域１１と磁性ドット１３が最表面に現れた凹凸構造となっている（図９Ｃ）。
【００４８】
ガラス基板１の表面に充填剤としてスピンオングラス４を塗布して凹部を充填し、ベーキングした。製造された記録媒体１０の表面を観察すると、全体に平滑であり、磁性膜が露出している部分がサーボパターンの描画された制御領域１１および記録領域１２の磁性ドット１３となっており、その他の部分がスピンオングラス４で充填された構造となった（図９Ｄ）。
【００４９】
以上の方法によって製造された記録媒体を通常のハードディスクドライブとほぼ同様の装置に装着して駆動したところ、再生ヘッドにより制御領域１１からサーボ情報を読み取り、記録再生ヘッドにより記録領域１２の記録ドット１３の読み書きが可能であることが確認された。本実施例では６００ｋＢＰＳＩの記録密度を達成できることが確認された。
【００５０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００５１】
【発明の効果】
以上詳述したように本発明によれば、記録領域において磁性ドットが組む六方格子の配向方向を規則化させて、１ビットに含まれる磁性ドット数の揺らぎを抑えることができ、高密度記録が可能な記録再生装置を提供することができる。
【図面の簡単な説明】
【図１】本発明の一実施形態に係る記録媒体の一部を概略的に示す平面図。
【図２】本発明の一実施形態に係る記録媒体を概略的に示す平面図。
【図３】本発明の他の実施形態に係る記録媒体を概略的に示す平面図。
【図４】本発明の他の実施形態に係る記録再生装置を概略的に示す平面図。
【図５】本発明の他の実施形態に係る、制御領域の境界線がアームの回転に伴うヘッドの軌跡に沿うように形成されている記録媒体を概略的に示す平面図。
【図６】図４および図５におけるヘッドと磁性ドットとの関係を示す平面図。
【図７】本発明の実施例において製造した記録媒体の平面図。
【図８】本発明の実施例における記録媒体を製造するためのインプリント原盤の製造工程を示す断面図。
【図９】本発明の実施例における記録媒体の製造工程を示す断面図。
【符号の説明】
１０…記録媒体、１１、１１ａ、１１ｂ、１１ｃ…制御領域、１２…記録領域、１３…磁性ドット、２０…第１のガラス基板、２１…制御領域、２２…記録領域、２３…ポリスチレンマトリックス、２４…ＰＭＭＡドット、３０…Ｎｉ原盤、４０…第２のガラス基板、４１…レジスト、５０…インプリント原盤、１００…軸、１１０…アーム、１２０…ヘッド。
【図１】
2004342226.tif 000003
【図２】
2004342226.tif 000004
【図３】
2004342226.tif 000005
【図４】
2004342226.tif 000006
【図５】
2004342226.tif 000007
【図６】
2004342226.tif 000008
【図７】
2004342226.tif 000009
【図８】
2004342226.tif 000010
【図９】
2004342226.tif 000011